(57)【要約】【課題】  演算負荷量の大きな増加を招かずに、和信号と差信号との調和を図りつつＳＮ比の改善を行う。【解決手段】  生成部２１０ＡSの基準値比較部２１２ＡSが、分割周波数帯ごとに、差信号の時間周波数変換結果ＳＳＤの周波数軸方向に関する平滑化結果ＣＳＡSのパワー値と、その時点における受信品質（信号レベルＳＬＶの値に対応する受信電界強度）に基づいて定まる基準値との比較を行って、基準値比較結果ＣＣＡSを生成する。引き続き、平均化部２１３ＡSが、受信品質の値により定まる基準値判定回数の直近の基準値比較結果ＣＣＡSの平均を算出することにより、分割周波数帯ごとの重み係数ＷＣＡSを生成する。そして、重み付け部２２０ＡSが、分割周波数帯ごとに、時間周波数変換結果ＳＳＤに重み係数ＷＣＡSを乗じることにより、補正後差信号パワースペクトルＣＳＤを生成する。【選択図】  図４
2019186592.tif 000002
【特許請求の範囲】
【請求項１】
所定周波数幅に分割された分割周波数帯ごとに、放送信号のパワースペクトルのパワー値と、前記パワー値に対する基準値との比較を行い、前記比較の結果に基づいて、前記放送信号のパワースペクトルに対する重み付け係数を生成する生成部と；
前記放送信号の時間周波数変換結果に対して、前記重み付け係数を用いた重み付けを行う重み付け部と；
を備える信号処理装置。
【請求項２】
前記放送信号には、和信号及び差信号が含まれ、
前記生成部は、
前記分割周波数帯ごとに、前記和信号のパワースペクトルの和信号パワー値と、前記和信号パワー値に対する第１基準値との第１比較を行い、前記第１比較の結果に基づいて、前記和信号の時間周波数変換結果に対する第１重み付け係数を生成する第１生成部と；
前記分割周波数帯ごとに、前記差信号のパワースペクトルの差信号パワー値と、前記差信号パワー値に対する第２基準値との第２比較を行い、前記第２比較の結果に基づいて、前記差信号の時間周波数変換結果に対する第２重み付け係数を生成する第２生成部と；を備え、
前記重み付け部は、
前記和信号の時間周波数変換結果に対して、前記第１重み付け係数を用いた重み付けを行う第１重み付け部と；
前記差信号の時間周波数変換結果に対して、前記第２重み付け係数を用いた重み付けを行う第２重み付け部と；を備える、
ことを特徴とする請求項１に記載の信号処理装置。
【請求項３】
前記第１生成部は、
前記和信号の時間周波数変換結果に、周波数軸方向に沿った第１平滑化処理を施して、前記和信号のパワースペクトルを生成する第１平滑化部と；
前記分割周波数帯ごとに、前記和信号のパワースペクトルのパワー値が前記第１基準値を超えたか否かの第１判定を行う第１基準値比較部と；を備え、
前記第２生成部は、
前記差信号の時間周波数変換結果に、周波数軸方向に沿った第２平滑化処理を施して、前記差信号のパワースペクトルを生成する第２平滑化部と；
前記分割周波数帯ごとに、前記差信号のパワースペクトルのパワー値が前記第２基準値を超えたか否かの第２判定を行う第２基準値比較部と；を備える、
ことを特徴とする請求項２に記載の信号処理装置。
【請求項４】
前記第１生成部は、前記分割周波数帯ごとに、前記第１判定の結果が肯定的であった回数を、前記第１判定を行った回数で除算した除算結果に基づいて、前記第１重み付け係数を生成する第１平均化部を更に備え、
前記第２生成部は、前記分割周波数帯ごとに、前記第２判定の結果が肯定的であった回数を、前記第２判定を行った回数で除算した除算結果に基づいて、前記第２重み付け係数を生成する第２平均化部を更に備える、
ことを特徴とする請求項３に記載の信号処理装置。
【請求項５】
前記第１生成部は、前記和信号の時間周波数変換結果を前記和信号のパワースペクトルとして、前記分割周波数帯ごとに、前記和信号のパワースペクトルのパワー値が前記第１基準値を超えたか否かの第１判定を行う第１基準値比較部；を備え、
前記第２生成部は、前記差信号の時間周波数変換結果を前記差信号のパワースペクトルとして、前記分割周波数帯ごとに、前記差信号のパワースペクトルのパワー値が前記第２基準値を超えたか否かの第２判定を行う第２基準値比較部；を備える、
ことを特徴とする請求項２に記載の信号処理装置。
【請求項６】
前記第１生成部は、前記第１基準値比較部による比較結果に、周波数軸方向に沿った第１平滑化処理を施して、前記分割周波数帯ごとに前記第１重み付け係数を生成する第１平滑化部を更に備え、
前記第２生成部は、前記第２基準値比較部による比較結果に、周波数軸方向に沿った第２平滑化処理を施して、前記分割周波数帯ごとに前記第２重み付け係数を生成する第２平滑化部を更に備える、
ことを特徴とする請求項５に記載の信号処理装置。
【請求項７】
前記第１生成部は、前記分割周波数帯ごとに、前記第１判定の結果が肯定的であった回数を、前記第１判定を行った回数で除算した除算結果を算出する第１平均化部を更に備え、
前記第２生成部は、前記分割周波数帯ごとに、前記第２判定の結果が肯定的であった回数を、前記第２判定を行った回数で除算した除算結果を算出する第２平均化部を更に備える、
ことを特徴とする請求項５に記載の信号処理装置。
【請求項８】
前記第１生成部は、前記第１平均化部による除算結果に、周波数軸方向に沿った第１平滑化処理を施して、前記分割周波数帯ごとに前記第１重み付け係数を生成する第１平滑化部を更に備え、
前記第２生成部は、前記第２平均化部による除算結果に、周波数軸方向に沿った第２平滑化処理を施して、前記分割周波数帯ごとに前記第２重み付け係数を生成する第２平滑化部を更に備える、
ことを特徴とする請求項７に記載の信号処理装置。
【請求項９】
前記第１判定の回数及び前記第２判定の回数は、前記放送信号の放送波の受信品質に応じて定まり、
前記受信品質が良好になるほど、前記第１判定の回数及び前記第２判定の回数は少なくなる、
ことを特徴とする請求項４、７及び８のいずれか一項に記載の信号処理装置。
【請求項１０】
前記第１判定の回数は、前記第２判定の回数以下である、ことを特徴とする請求項４、７、８及び９のいずれか一項に記載の信号処理装置。
【請求項１１】
前記第１基準値及び前記第２基準値は、前記信号の放送波の受信品質に応じて定まり、
前記受信品質が良好になるほど、前記第１基準値及び第２基準値は低くなる、
ことを特徴とする請求項２〜１０のいずれか一項に記載の信号処理装置。
【請求項１２】
前記第１基準値は、前記第２基準値以下である、ことを特徴とする請求項２〜１１のいずれか一項に記載の信号処理装置。
【請求項１３】
請求項２〜１２のいずれか一項に記載の信号処理装置と；
前記信号処理装置が備える第１重み付け部による重み付け結果と、前記信号処理装置が備える第２重み付け部による重み付け結果とに基づいて、再生用左チャンネル信号及び再生用右チャンネル信号を算出する算出部と；
を備えることを特徴とする放送受信装置。
【請求項１４】
生成部と、重み付け部とを備える信号処理装置において使用される信号処理方法であって、
前記生成部が、所定周波数幅に分割された分割周波数帯ごとに、放送信号のパワースペクトルのパワー値と、前記パワー値に対する基準値との比較を行い、前記比較の結果に基づいて、前記放送信号のパワースペクトルに対する重み付け係数を生成する生成工程と；
前記重み付け部が、前記放送信号の時間周波数変換結果に対して、前記重み付け係数を用いた重み付けを行う重み付け工程と；
を備える信号処理方法。
【請求項１５】
信号処理装置が有するコンピュータに、請求項１４に記載の信号処理方法を実行させる、ことを特徴とする信号処理プログラム。
【請求項１６】
信号処理装置が有するコンピュータにより読み取り可能に、請求項１５に記載の信号処理プログラムが記録されている、ことを特徴とする記録媒体。
【発明の詳細な説明】
【技術分野】
【０００１】
本発明は、信号処理装置、放送受信装置、信号処理方法及び信号処理プログラム、並びに、当該信号処理プログラムが記録された記録媒体に関する。
【背景技術】
【０００２】
従来から、ＦＭステレオ放送の放送波を受信して処理し、音声を再生する放送受信装置が広く普及している。こうしたＦＭステレオ放送では、左チャンネル信号Ｌと右チャンネル信号Ｒとの和信号（Ｌ＋Ｒ）及び差信号（Ｌ−Ｒ）が、異なる周波数帯で伝送される。そして、放送受信装置において、和信号（Ｌ＋Ｒ）及び差信号（Ｌ−Ｒ）から、左チャンネル信号Ｌ及び右チャンネル信号Ｒを生成するようになっている。
【０００３】
なお、以下の説明では、当該和信号を「ステレオ和信号」とも記し、当該差信号を「ステレオ差信号」とも記す。
【０００４】
上述のように、ＦＭステレオ放送では、和信号（Ｌ＋Ｒ）と差信号（Ｌ−Ｒ）との伝送系が異なるため、差信号（Ｌ−Ｒ）のＳＮ比が、和信号（Ｌ＋Ｒ）のＳＮ比よりも２０ｄＢ以上悪化するようになっていた。かかる差信号（Ｌ−Ｒ）のＳＮ比を改善するため、様々な技術が提案されている。
【０００５】
こうした提案技術の一つとして、スペクトルマスキング効果による聴取性に対応した差信号（Ｌ−Ｒ）における各周波数成分に対する重み付け係数を生成する技術がある（特許文献１参照：以下、「従来例」という）。この従来例の技術では、和信号（Ｌ＋Ｒ）を時間周波数変換（例えば、ＦＦＴ処理）して得られる周波数軸に沿ったパワー分布に基づいて、スペクトルマスキング効果による聴取性に対応したマスキング曲線を導出する。引き続き、当該マスキング曲線を利用して、差信号（Ｌ−Ｒ）における各分割周波数帯に対する重み付け係数を生成する。そして、差信号（Ｌ−Ｒ）の各分割周波数帯に対する重み付け係数による重み付けが行われた結果と、和信号（Ｌ＋Ｒ）とに基づいて、左チャンネル信号Ｌと右チャンネル信号Ｒとを生成するようになっている。
【先行技術文献】
【特許文献】
【０００６】
【特許文献１】特許第６０７８３５８号公報
【発明の概要】
【発明が解決しようとする課題】
【０００７】
上述した従来例の技術では、人間の聴感上の特性を考慮したマスキング曲線の導出を行うため、当該導出のための演算処理負荷が高くなってしまう。したがって、従来例の技術では、高い演算負荷に対応可能な資源を用意しておくことが必要であった。
【０００８】
このため、演算負荷量の大きな増加を招かずに、和信号と差信号との調和を図りつつＳＮ比の改善を行うことができる技術が望まれている。かかる要請に応えることが、本発明が解決すべき課題の一つとして挙げられる。
【課題を解決するための手段】
【０００９】
請求項１に記載の発明は、所定周波数幅に分割された分割周波数帯ごとに、放送信号のパワースペクトルのパワー値と、前記パワー値に対する基準値との比較を行い、前記比較の結果に基づいて、前記放送信号のパワースペクトルに対する重み付け係数を生成する生成部と；前記放送信号の時間周波数変換結果に対して、前記重み付け係数を用いた重み付けを行う重み付け部と；を備える信号処理装置である。
【００１０】
請求項１３記載の発明は、請求項２〜１２のいずれか一項に記載の信号処理装置と；前記信号処理装置が備える第１重み付け部による重み付け結果と、前記信号処理装置が備える第２重み付け部による重み付け結果とに基づいて、再生用左チャンネル信号及び再生用右チャンネル信号を算出する算出部と；を備えることを特徴とする放送受信装置である。
【００１１】
請求項１４記載の発明は、生成部と、重み付け部とを備える信号処理装置において使用される信号処理方法であって、前記生成部が、所定周波数幅に分割された分割周波数帯ごとに、放送信号のパワースペクトルのパワー値と、前記パワー値に対する基準値との比較を行い、前記比較の結果に基づいて、前記放送信号のパワースペクトルに対する重み付け係数を生成する生成工程と；前記重み付け部が、前記放送信号の時間周波数変換結果に対して、前記重み付け係数を用いた重み付けを行う重み付け工程と；を備える信号処理方法である。
【００１２】
請求項１５記載の発明は、信号処理装置が有するコンピュータに、請求項１４に記載の信号処理方法を実行させる、ことを特徴とする信号処理プログラムである。
【００１３】
請求項１６記載の発明は、信号処理装置が有するコンピュータにより読み取り可能に、請求項１５に記載の信号処理プログラムが記録されている、ことを特徴とする記録媒体である。
【図面の簡単な説明】
【００１４】
【図１】本発明の第１実施形態に係る信号処理装置を備える放送受信装置の概略的な構成を示すブロック図である。
【図２】図１の信号処理装置の構成を説明するためのブロック図である。
【図３】図２の和信号ノイズ低減部の構成を示すブロック図である。
【図４】図２の差信号ノイズ低減部の構成を示すブロック図である。
【図５】図３及び図４の基準値比較部が採用する基準値カーブの、放送波の電界強度による増減による変化例を説明するための図である。
【図６】図３及び図４の平滑化部による平滑化の例を示す図である。
【図７】図３及び図４の生成部おける平滑化結果からの重み付け係数の生成処理の例を説明するための図である。
【図８】本発明の第２実施形態に係る信号処理装置が備える和信号ノイズ低減部の構成を示すブロック図である。
【図９】本発明の第２実施形態に係る信号処理装置が備える差信号ノイズ低減部の構成を示すブロック図である。
【図１０】図８及び図９の生成部における時間周波数変換結果からの重み付け係数の生成処理の例を説明するための図である。
【発明を実施するための形態】
【００１５】
以下、本発明の実施形態を、添付図面を参照して説明する。なお、以下の説明及び図面においては、同一又は同等の要素には同一の符号を付し、重複する説明を省略する。
【００１６】
［第１実施形態］
まず、本発明の第１実施形態を、図１〜図７を参照して説明する。
【００１７】
＜構成＞
図１には、第１実施形態に係る信号処理装置１３０Ａを備える放送受信装置１００Ａの概略的な構成がブロック図にて示されている。この図１に示されるように、放送受信装置１００Ａは、アンテナ１１０と、受信処理ユニット１２０と、信号処理装置１３０Ａとを備えている。また、放送受信装置１００Ａは、再生音信号算出ユニット１４０と、アナログ処理ユニット１５０と、スピーカユニット１６０L，１６０Rとを備えている。さらに、放送受信装置１００Ａは、入力ユニット１８０と、制御ユニット１９０とを備えている。
【００１８】
上記のアンテナ１１０は、ＦＭステレオ放送波を受信する。アンテナ１１０による受信結果は、信号ＲＦＳとして、受信処理ユニット１２０へ送られる。
【００１９】
上記の受信処理ユニット１２０は、アンテナ１１０から送られた信号ＲＦＳを受ける。そして、受信処理ユニット１２０は、制御ユニット１９０から送られた選局指令ＣＳＬに従って、信号ＲＦＳから、選局指令ＣＳＬによって指定された希望放送局に対応する左チャンネル信号Ｌ及び右チャンネル信号Ｒを生成する。こうして生成された左チャンネル信号Ｌ及び右チャンネル信号Ｒは、信号処理装置１３０Ａへ送られる。
【００２０】
なお、受信処理ユニット１２０では、信号ＲＦＳのパワー値の変化に応じた自動利得制御（ＡＧＣ：Auto Gain Control）が行われるようになっている。
【００２１】
また、受信処理ユニット１２０は、アンテナ１１０による受信時の希望放送局のＦＭステレオ放送波の電界強度に対応する信号レベルの検出を行う。当該検出の結果は、信号レベルＳＬＶとして、信号処理装置１３０Ａへ送られる。
【００２２】
上記の信号処理装置１３０Ａは、受信処理ユニット１２０から送られた左チャンネル信号Ｌ及び右チャンネル信号Ｒ、並びに、信号レベルＳＬＶを受ける。そして、信号処理装置１３０Ａは、左チャンネル信号Ｌ、右チャンネル信号Ｒ及び信号レベルＳＬＶに基づいて、補正後和信号パワースペクトルＣＭＤ及び補正後差信号パワースペクトルＣＳＤを生成する。こうして生成された補正後和信号パワースペクトルＣＭＤ及び補正後差信号パワースペクトルＣＳＤは、再生音信号算出ユニット１４０へ送られる。
【００２３】
なお、信号処理装置１３０Ａの構成の詳細については、後述する。
【００２４】
上記の再生音信号算出ユニット１４０は、信号処理装置１３０Ａから送られた補正後和信号パワースペクトルＣＭＤ及び補正後差信号パワースペクトルＣＳＤを受ける。そして、再生音信号算出ユニット１４０は、補正後和信号パワースペクトルＣＭＤ及び補正後差信号パワースペクトルＣＳＤに基づいて、再生用左チャンネル信号ＣＬＤ及び再生用右チャンネル信号ＣＲＤを生成する。こうして生成された再生用左チャンネル信号ＣＬＤ及び再生用右チャンネル信号ＣＲＤは、アナログ処理ユニット１５０へ送られる。
【００２５】
第１実施形態では、再生音信号算出ユニット１４０は、第１周波数時間変換（ＩＦＦＴ）部と、第２周波数時間変換部とを備えている。また、再生音信号算出ユニット１４０は、マトリクス演算部を備えている。
【００２６】
上記の第１周波数時間変換部は、信号処理装置１３０Aから送られた補正後和信号パワースペクトルＣＭＤを受ける。そして、第１周波数時間変換部は、補正後和信号パワースペクトルＣＭＤに対して周波数時間変換を施して、補正後和信号を生成する。こうして生成された補正後和信号は、マトリクス演算部へ送られる。
【００２７】
上記の第２周波数時間変換部は、信号処理装置１３０Aから送られた補正後差信号パワースペクトルＣＳＤを受ける。そして、第２周波数時間変換部は、補正後差信号パワースペクトルＣＳＤに対して周波数時間変換を施して、補正後差信号を生成する。こうして生成された補正後和信号は、マトリクス演算部へ送られる。
【００２８】
上記のマトリクス演算部は、第１周波数時間変換部から送られた補正後和信号、及び、第２周波数時間変換部から送られた補正後差信号を受ける。そして、マトリクス演算部は、補正後和信号と補正後差信号との和を算出することにより、再生用左チャンネル信号ＣＬＤを生成する。こうして生成された再生用左チャンネル信号ＣＬＤが、アナログ処理ユニット１５０へ送られる。
【００２９】
また、マトリクス演算部は、補正後和信号と補正後差信号との差を算出することにより、再生用右チャンネル信号ＣＲＤを生成する。こうして生成された再生用右チャンネル信号ＣＲＤが、アナログ処理ユニット１５０へ送られる。
【００３０】
上記のアナログ処理ユニット１５０は、再生音信号算出ユニット１４０から送られた再生用左チャンネル信号ＣＬＤ及び再生用右チャンネル信号ＣＲＤを受ける。そして、アナログ処理ユニット１５０は、制御ユニット１９０による制御のもとで、再生用左チャンネル信号ＣＬＤに基づいて出力音信号ＡＯＳLを生成するとともに、再生用右チャンネル信号ＣＲＤに基づいて出力音信号ＡＯＳRを生成する。
【００３１】
かかる機能を有するアナログ処理ユニット１５０は、ＤＡ（Digital to Analogue）変換部と、音量調整部と、パワー増幅部とを備えて構成されている。ここで、ＤＡ変換部は、再生音信号算出ユニット１４０から送られた再生用左チャンネル信号ＣＬＤ及び再生用右チャンネル信号ＣＲＤを受ける。そして、ＤＡ変換部は、再生用左チャンネル信号ＣＬＤ及び再生用右チャンネル信号ＣＲＤをアナログ信号に変換する。ＤＡ変換部によるアナログ変換結果は音量調整部へ送られる。
【００３２】
音量調整部は、ＤＡ変換部から送られた左チャンネル及び右チャンネルのアナログ変換結果の信号を受ける。そして、音量調整部は、制御ユニット１９０から送られた音量調整指令ＶＬＣに従って、左チャンネル及び右チャンネルのそれぞれに対応するアナログ変換結果の信号に対して音量調整処理を施す。音量調整部による音量調整結果の信号は、パワー増幅部へ送られる。
【００３３】
パワー増幅部は、音量調整部から送られた左チャンネル及び右チャンネルの音量調整結果の信号を受ける。そして、パワー増幅部は、音量調整結果の信号をパワー増幅して、出力音信号ＡＯＳL及び出力音信号ＡＯＳRを生成する。こうして生成された出力音信号ＡＯＳLは、スピーカユニット１６０Lへ送られ、生成された出力音信号ＡＯＳRは、スピーカユニット１６０Rへ送られる。
【００３４】
上記のスピーカユニット１６０Lは、アナログ処理ユニット１５０から送られた出力音信号ＡＯＳLを受ける。そして、スピーカユニット１６０Lは、出力音信号ＡＯＳLに従って、音声を再生出力する。
【００３５】
上記のスピーカユニット１６０Rは、アナログ処理ユニット１５０から送られた出力音信号ＡＯＳRを受ける。そして、スピーカユニット１６０Rは、出力音信号ＡＯＳRに従って、音声を再生出力する。
【００３６】
上記の入力ユニット１８０は、放送受信装置１００Ａの本体部に設けられたキー部、あるいはキー部を備えるリモート入力装置等により構成される。ここで、本体部に設けられたキー部としては、不図示の表示ユニットに設けられたタッチパネルを用いることができる。また、キー部を有する構成に代えて、音声入力する構成を採用することもできる。入力ユニット１８０への入力結果は、入力データＩＰＤとして制御ユニット１９０へ送られる。
【００３７】
上記の制御ユニット１９０は、入力ユニット１８０から送られた入力データＩＰＤを受ける。この入力データＩＰＤの内容が選局指定であった場合には、制御ユニット１９０は、指定された希望局に対応する選局指令ＣＳＬを生成して、受信処理ユニット１２０へ送る。また、入力データＩＰＤの内容が音量調整指定であった場合には、制御ユニット１９０は、指定された音量調整指定に対応する音量調整指令ＶＬＣを生成して、アナログ処理ユニット１５０へ送る。
【００３８】
《信号処理装置１３０Ａの構成》
次いで、信号処理装置１３０Ａの構成について説明する。
【００３９】
信号処理装置１３０Ａは、図２に示されるように、マトリクス部１３１と、時間周波数変換部（ＦＦＴ部）１３２M，１３２Sとを備えている。また、信号処理装置１３０Ａは、和信号ノイズ低減部１３３ＡMと、差信号ノイズ低減部１３３ＡSとを備えている。
【００４０】
上記のマトリクス部１３１は、受信処理ユニット１２０から送られた左チャンネル信号Ｌ及び右チャンネル信号Ｒを受ける。そして、マトリクス部１３１は、左チャンネル信号Ｌと右チャンネル信号Ｒとの和を算出し、和信号ＭＤ（＝（Ｌ＋Ｒ））を生成する。こうして生成された和信号ＭＤは、時間周波数変換部１３２Mへ送られる。
【００４１】
また、マトリクス部１３１は、左チャンネル信号Ｌと右チャンネル信号Ｒとの差を算出し、差信号ＳＤ（＝（Ｌ−Ｒ））を生成する。こうして生成された差信号ＳＤは、時間周波数変換部１３２Sへ送られる。
【００４２】
上記の時間周波数変換部１３２Mは、マトリクス部１３１から送られた和信号ＭＤを受ける。そして、時間周波数変換部１３２Mは、和信号ＭＤに時間周波数変換を施して、所定の分割周波数帯（サブバンド）ごとのパワー分布である時間周波数変換結果ＭＳＤを生成する。こうして生成された時間周波数変換結果ＭＳＤは、和信号ノイズ低減部１３３ＡMへ送られる。
【００４３】
上記の時間周波数変換部１３２Sは、マトリクス部１３１から送られた差信号ＳＤを受ける。そして、時間周波数変換部１３２Sは、差信号ＳＤに時間周波数変換を施して、分割周波数帯ごとのパワー分布である時間周波数変換結果ＳＳＤを生成する。こうして生成された時間周波数変換結果ＳＳＤは、差信号ノイズ低減部１３３ＡSへ送られる。
【００４４】
《和信号ノイズ低減部１３３ＡMの構成》
上記の和信号ノイズ低減部１３３ＡMは、時間周波数変換部１３２Mから送られた時間周波数変換結果ＭＳＤを受ける。そして、和信号ノイズ低減部１３３ＡMは、時間周波数変換結果ＭＳＤに対してノイズ低減処理を施して補正後和信号パワースペクトルＣＭＤを生成する。
【００４５】
この和信号ノイズ低減部１３３ＡMは、図３に示されるように、生成部２１０ＡMを備えている。また、和信号ノイズ低減部１３３ＡMは、重み付け部２２０ＡMを備えている。
【００４６】
上記の生成部２１０ＡMは、時間周波数変換部１３２Mから送られた時間周波数変換結果ＭＳＤ、及び、受信処理ユニット１２０から送られた信号レベルＳＬＶを受ける。そして、生成部２１０ＡMは、時間周波数変換結果ＭＳＤ及び信号レベルＳＬＶに基づいて、時間周波数変換結果ＭＳＤの分割周波数帯ごとの重み係数ＷＣＡMを生成する。
【００４７】
第１実施形態では、生成部２１０ＡMは、平滑化部２１１ＡMを備えている。また、生成部２１０ＡMは、基準値比較部２１２ＡMと、平均化部２１３ＡMとを備えている。
【００４８】
上記の平滑化部２１１ＡMは、時間周波数変換結果ＭＳＤを受ける。そして、平滑化部２１１ＡMは、時間周波数変換結果ＭＳＤを、周波数軸方向に関する移動平均法を用いて平滑化する。かかる平滑化の結果は、平滑化結果ＣＳＡMとして、基準値比較部２１２ＡMへ送られる。
【００４９】
上記の基準値比較部２１２ＡMは、信号レベルＳＬＶ、及び、平滑化部２１１ＡMから送られた平滑化結果ＣＳＡMを受ける。基準値比較部２１２ＡMは、分割周波数帯ごとに、平滑化結果ＣＳＡMのパワー値が、信号レベルＳＬＶの値により定まる基準値を超えたか否かの基準値判定を行う。引き続き、基準値比較部２１２ＡMは、当該判定の結果が肯定的であった分割周波数帯については、値「１」を設定する。一方、基準値比較部２１２ＡMは、当該判定の結果が否定的であった分割周波数帯については、値「０」を設定する。かかる分割周波数帯ごとの設定結果は、基準値比較結果ＣＣＡMとして、平均化部２１３ＡMへ送られる。
【００５０】
なお、基準値比較部２１２ＡMは、信号レベルＳＬＶの値と、分割周波数帯ごとの基準値との第１関係情報を内部に保持している。かかる第１関係情報は、実験、シミュレーション、経験等に基づいて、予め定められる。ここで、信号レベルＳＬＶが大きいほど、基準値が小さくなるようになっている。これは、信号レベルＳＬＶが大きい（すなわち、放送波の受信時の電界強度が大きく、受信品質が高い）ほど、和信号ＭＤのＳＮ比が高いことによる。
【００５１】
上記の平均化部２１３ＡMは、基準値比較部２１２ＡMから送られた基準値比較結果ＣＣＡMを受ける。そして、平均化部２１３ＡMは、信号レベルＳＬＶの値により定まる基準値判定回数の直近の基準値比較結果ＣＣＡMの平均を算出することにより、分割周波数帯ごとの重み係数ＷＣＡMを生成する。こうして生成された重み係数ＷＣＡMは、重み付け部２２０ＡMへ送られる。
【００５２】
なお、平均化部２１３ＡMは、信号レベルＳＬＶの値と基準値判定回数との第２関係情報を内部に保持している。かかる第２関係情報は、実験、シミュレーション、経験等に基づいて、予め定められる。ここで、信号レベルＳＬＶが大きいほど、基準値判定回数は少なくなる。これは、信号レベルＳＬＶが小さいほど、和信号ＭＤのＳＮ比が低いために、重み係数ＷＣＡMの生成に際しての入念を期すためである。
【００５３】
上記の重み付け部２２０ＡMは、時間周波数変換結果ＭＳＤ、及び、生成部２１０ＡMから送られた重み係数ＷＣＡMを受ける。そして、重み付け部２２０ＡMは、分割周波数帯ごとに、時間周波数変換結果ＭＳＤのパワー値と、重み係数ＷＣＡMとを乗算する。かかる乗算の結果は、補正後和信号パワースペクトルＣＭＤとして、再生音信号算出ユニット１４０へ送られる。
【００５４】
《差信号ノイズ低減部１３３ＡSの構成》
上記の差信号ノイズ低減部１３３ＡSは、時間周波数変換部１３２Sから送られた時間周波数変換結果ＳＳＤを受ける。そして、差信号ノイズ低減部１３３ＡSは、時間周波数変換結果ＳＳＤに対してノイズ低減処理を施して補正後差信号パワースペクトルＣＳＤを生成する。
【００５５】
この差信号ノイズ低減部１３３ＡSは、図４に示されるように、生成部２１０ＡSを備えている。また、差信号ノイズ低減部１３３ＡSは、重み付け部２２０ＡSを備えている。
【００５６】
上記の生成部２１０ＡSは、時間周波数変換部１３２Sから送られた時間周波数変換結果ＳＳＤ、及び、受信処理ユニット１２０から送られた信号レベルＳＬＶを受ける。そして、生成部２１０ＡSは、時間周波数変換結果ＳＳＤ及び信号レベルＳＬＶに基づいて、時間周波数変換結果ＳＳＤの分割周波数帯ごとの重み係数ＷＣＡSを生成する。
【００５７】
第１実施形態では、生成部２１０ＡSは、上述した和信号ノイズ低減部１３３ＡMと同様に構成されている。すなわち、生成部２１０ＡSは、平滑化部２１１ＡSと、基準値比較部２１２ＡSと、平均化部２１３ＡSとを備えている。
【００５８】
上記の平滑化部２１１ＡSは、時間周波数変換結果ＳＳＤを受ける。そして、平滑化部２１１ＡSは、時間周波数変換結果ＳＳＤを、上述した平滑化部２１１ＡMの場合と同様にして、周波数軸方向に関する移動平均法を用いて平滑化する。かかる平滑化の結果は、平滑化結果ＣＳＡSとして、基準値比較部２１２ＡSへ送られる。
【００５９】
上記の基準値比較部２１２ＡSは、信号レベルＳＬＶ、及び、平滑化部２１１ＡSから送られた平滑化結果ＣＳＡSを受ける。そして、基準値比較部２１２ＡSは、信号レベルＳＬＶの値により定まる基準値として、上述した基準値比較部２１２ＡMの場合よりも大きな値を採用すること除いて、基準値比較部２１２ＡMの場合と同様の処理を行って、基準値比較結果ＣＣＡSを生成する。こうして生成された基準値比較結果ＣＣＡSは、平均化部２１３ＡSへ送られる。
【００６０】
なお、基準値比較部２１２ＡSは、信号レベルＳＬＶの値と、分割周波数帯ごとの基準値との第３関係情報を内部に保持している。かかる第３関係情報は、実験、シミュレーション、経験等に基づいて、予め定められる。
【００６１】
上記の平均化部２１３ＡSは、基準値比較部２１２ＡSから送られた基準値比較結果ＣＣＡSを受ける。そして、平均化部２１３ＡSは、基準値比較結果ＣＣＡSを、最新の基準値比較結果を含む、信号レベルＳＬＶの値により定まる基準値判定回数の直近の基準値比較結果ＣＣＡSの平均を算出することにより、分割周波数帯ごとの重み係数ＷＣＡSを生成する。こうして生成された重み係数ＷＣＡSは、重み付け部２２０ＡSへ送られる。
【００６２】
なお、平均化部２１３ＡSは、信号レベルＳＬＶの値と基準値判定回数との第４関係情報を内部に保持している。かかる第４関係情報は、実験、シミュレーション、経験等に基づいて、予め定められる。ここで、平均化部２１３ＡSが採用する基準値判定回数は、上述した平均化部２１３ＡMの場合において採用する基準値判定回数以上の回数となっている。これは、差信号ＳＤのＳＮ比が和信号ＭＤのＳＮ比よりも低いため、重み係数ＷＣＡSの生成に際して、重み係数ＷＣＡMの生成の場合よりも入念を期すためである。
【００６３】
なお、第１実施形態では、信号レベルＳＬＶの値が大きなほど、平均化部２１３ＡSが採用する基準値判定回数と、平均化部２１３ＡMが採用する基準値判定回数との差が小さくなるようになっている。これは、信号レベルＳＬＶの値が大きくほど、基準値判定回数に差を設ける必要性が乏しくなっていくことによる。
【００６４】
上記の重み付け部２２０ＡSは、時間周波数変換結果ＳＳＤ、及び、生成部２１０ＡSから送られた重み係数ＷＣＡSを受ける。そして、重み付け部２２０ＡSは、分割周波数帯ごとに、時間周波数変換結果ＳＳＤのパワー値と、重み係数ＷＣＡSとを乗算する。かかる乗算の結果は、補正後差信号パワースペクトルＣＳＤとして、再生音信号算出ユニット１４０へ送られる。
【００６５】
なお、信号レベルＳＬＶの大きさの相違による基準値の周波数分布（基準値カーブＲＶＣ）の相違の例が、図５に示されている。
【００６６】
＜動作＞
次に、以上のように構成された放送受信装置１００Ａの動作について、和信号ノイズ低減部１３３ＡM及び差信号ノイズ低減部１３３ＡSによるノイズ低減処理に主に着目して説明する。
【００６７】
前提として、入力ユニット１８０には既に利用者により選局指定が入力されており、指定された希望局に対応する選局指令ＣＳＬが、受信処理ユニット１２０へ送られているものとする。また、入力ユニット１８０には既に利用者により音量調整指定が入力されており、指定された音量調整態様に対応する音量調整指令ＶＬＣが、アナログ処理ユニット１５０へ送られているものとする（図１参照）。
【００６８】
また、受信処理ユニット１２０から、和信号ノイズ低減部１３３ＡM及び差信号ノイズ低減部１３３ＡSへは、信号レベルＳＬＶが継続的に送られているものとする。そして、和信号ノイズ低減部１３３ＡMには、時間周波数変換結果ＭＳＤが順次供給されるとともに、差信号ノイズ低減部１３３ＡSには、時間周波数変換結果ＳＳＤが順次供給されているものとする（図２参照）。
【００６９】
なお、和信号ノイズ低減部１３３ＡMでは、生成部２１０ＡMが備える平滑化部２１１ＡM及び重み付け部２２０ＡMが、時間周波数変換結果ＭＳＤを受ける（図３参照）。また、差信号ノイズ低減部１３３ＡSでは、生成部２１０ＡSが備える平滑化部２１１ＡS及び重み付け部２２０ＡSが、時間周波数変換結果ＳＳＤを受ける（図４参照）。
【００７０】
《和信号ノイズ低減部１３３ＡMによるノイズ低減処理》
時間周波数変換結果ＭＳＤを受けると、平滑化部２１１ＡMは、時間周波数変換結果ＭＳＤを、周波数軸方向に関する移動平均法を用いて平滑化する。そして、平滑化部２１１ＡMは、かかる平滑化の結果を、平滑化結果ＣＳＡMとして、基準値比較部２１２ＡMへ送る（図３参照）。
【００７１】
なお、図６には、平滑化の例が示されている。
【００７２】
平滑化結果ＣＳＡMを受けると、基準値比較部２１２ＡMは、まず、その時点における信号レベルＳＬＶの値に基づいて、分割周波数帯ごとの基準値を特定する。引き続き、基準値比較部２１２ＡMは、分割周波数帯ごとに、平滑化結果ＣＳＡMのパワー値が、信号レベルＳＬＶの値により定まる基準値を超えたか否かの基準値判定を行う。
【００７３】
ここで、基準値比較部２１２ＡMは、当該判定の結果が肯定的であった分割周波数帯については、値「１」を設定する。一方、基準値比較部２１２ＡMは、当該判定の結果が否定的であった分割周波数帯については、値「０」を設定する。
【００７４】
次に、基準値比較部２１２ＡMは、分割周波数帯ごとの設定結果に基づいて、基準値比較結果ＣＣＡMを生成する。そして、基準値比較部２１２ＡMは、生成された基準値比較結果ＣＣＡMを平均化部２１３ＡMへ送る（図３参照）。
【００７５】
なお、上述したように、信号レベルＳＬＶが大きいほど、基準値が小さくなるようになっている。
【００７６】
基準値比較結果ＣＣＡMを受けると、平均化部２１３ＡMは、信号レベルＳＬＶの値により定めていた基準値判定回数の直近の基準値比較結果ＣＣＡMの平均を算出することにより、分割周波数帯ごとの重み係数ＷＣＡMを生成する。そして、平均化部２１３ＡMは、生成された重み係数ＷＣＡMを重み付け部２２０ＡMへ送る（図３参照）。
【００７７】
なお、上述したように、信号レベルＳＬＶが大きいほど、基準値判定回数は少なくなるようになっている。
【００７８】
重み係数ＷＣＡMを受けると、重み付け部２２０ＡMは、分割周波数帯ごとに、時間周波数変換結果ＭＳＤのパワー値と、重み係数ＷＣＡMとを乗算する。そして、重み付け部２２０ＡMは、当該乗算の結果を、補正後和信号パワースペクトルＣＭＤとして、再生音信号算出ユニット１４０へ送る（図３参照）。
【００７９】
《差信号ノイズ低減部１３３ＡSによるノイズ低減処理》
上述した和信号ノイズ低減部１３３ＡMによるノイズ低減処理と並行して、差信号ノイズ低減部１３３ＡSでは、生成部２１０ＡSが、上述した構成説明で記載した相違点を除いて、生成部２１０ＡMの場合と同様の処理を行って、分割周波数帯ごとの重み係数ＷＣＡSを生成する。そして、生成部２１０ＡSは、生成された重み係数ＷＣＡSを重み付け部２２０ＡSへ送る（図４参照）。
【００８０】
重み係数ＷＣＡSを受けると、重み付け部２２０ＡSは、分割周波数帯ごとに、時間周波数変換結果ＳＳＤのパワー値と、重み係数ＷＣＡSとを乗算する。そして、重み付け部２２０ＡSは、当該乗算の結果を、補正後差信号パワースペクトルＣＳＤとして、再生音信号算出ユニット１４０へ送る（図４参照）。
【００８１】
なお、図７には、平滑化結果ＣＳＡM（ＣＳＡS）からの重み付け係数ＷＣＡM（ＷＣＡS）の生成処理の例が示されている。
【００８２】
以上のようにして生成された補正後和信号パワースペクトルＣＭＤ及び補正後差信号パワースペクトルＣＳＤを受けると、再生音信号算出ユニット１４０では、第１周波数時間変換部が、補正後和信号パワースペクトルＣＭＤに対して周波数時間変換を施して、補正後和信号を生成する。そして、第１周波数時間変換部は、生成された補正後和信号をマトリクス演算部へ送る。
【００８３】
また、再生音信号算出ユニット１４０では、第２周波数時間変換部が、補正後差信号パワースペクトルＣＳＤに対して周波数時間変換を施して、補正後差信号を生成する。そして、第２周波数時間変換部は、生成された補正後差信号をマトリクス演算部へ送る。
【００８４】
補正後和信号及び補正後差信号を受けると、マトリクス演算部は、補正後和信号と補正後差信号との和を算出することにより、再生用左チャンネル信号ＣＬＤを生成する。そして、マトリクス演算部は、生成された再生用左チャンネル信号ＣＬＤをアナログ処理ユニット１５０へ送る（図１参照）。
【００８５】
また、補正後和信号及び補正後差信号を受けると、マトリクス演算部は、補正後和信号と補正後差信号との差を算出することにより、再生用右チャンネル信号ＣＲＤを生成する。そして、マトリクス演算部は、生成された再生右チャンネル信号ＣＲＤをアナログ処理ユニット１５０へ送る（図１参照）。
【００８６】
アナログ処理ユニット１５０では、ＤＡ変換部、音量調整部及びパワー増幅部が順次処理を行い、再生用左チャンネル信号ＣＬＤ及び再生用右チャンネル信号ＣＲＤから出力音信号ＡＯＳL，ＡＯＳRを生成し、スピーカユニット１６０L，１６０Rへ送る（図１参照）。そして、スピーカユニット１６０L，１６０Rが、出力音信号ＡＯＳL，ＡＯＳRに従って、音声を再生出力する。
【００８７】
以上説明したように、第１実施形態では、生成部２１０ＡM（２１０ＡS）の平滑化部２１１ＡM（２１１ＡS）が、時間周波数変換結果ＭＳＤ（ＳＳＤ）を、周波数軸方向に関する移動平均法を用いて平滑化して平滑化結果ＣＳＡM（ＣＳＡS）を生成する。引き続き、基準値比較部２１２ＡM（２１２ＡS）が、分割周波数帯ごとに、その時点における信号レベルＳＬＶの値に基づいて定まる基準値と、平滑化結果ＣＳＡM（ＣＳＡS）のパワー値との比較し、比較結果を基準値比較結果ＣＣＡM（ＣＣＡS）として、平均化部２１３ＡM（２１３ＡS）へ送る。次に、平均化部２１３ＡM（２１３ＡS）が、信号レベルＳＬＶの値により定めていた基準値判定回数の直近の基準値比較結果ＣＣＡM（ＣＣＡS）の平均を算出することにより、分割周波数帯ごとの重み係数ＷＣＡM（ＷＣＡS）を生成し、生成された重み係数ＷＣＡM（ＷＣＡS）を重み付け部２２０ＡM（２２０ＡS）へ送る。そして、重み付け部２２０ＡM（２２０ＡS）が、分割周波数帯ごとに、時間周波数変換結果ＭＳＤ（ＳＳＤ）に重み係数ＷＣＡM（ＷＣＡS）を乗じることにより、補正後和信号パワースペクトルＣＭＤ（補正後差信号パワースペクトルＣＳＤ）を生成し、生成された補正後和信号パワースペクトルＣＭＤ（補正後差信号パワースペクトルＣＳＤ）を再生音信号算出ユニット１４０へ送る。
【００８８】
したがって、演算負荷量の大きな増加を招かずに、和信号と差信号との調和を図りつつＳＮ比の改善を行うことができる。
【００８９】
また、第１実施形態では、信号レベルＳＬＶが大きいほど、基準値比較部２１２ＡM（２１２ＡS）が採用する基準値が小さくなるようにしている。このため、和信号ＭＤ（差信号ＳＳＤ）のＳＮ比に応じて適切な基準値を採用することができる。
【００９０】
また、第１実施形態では、基準値比較部２１２ＡSが採用する基準値が、基準値比較部２１２ＡMが採用する基準値よりも大きな値を採用する。このため、和信号ＭＤと差信号ＳＤとのＳＮ比の相違に応じて適切な基準値を採用することができる。
【００９１】
また、第１実施形態では、平均化部２１３ＡSが採用する基準値判定回数を、平均化部２１３ＡMが採用する基準値判定回数以上の回数としている。このため、和信号ＭＤよりもＳＮ比が低い差信号ＳＤに対応する重み係数ＷＣＡSの生成に際して、和信号ＭＤに対応する重み係数ＷＣＡMの生成の場合よりも入念を期すことができる。
【００９２】
また、第１実施形態では、平均化部２１３ＡM（２１３ＡS）が基準値比較結果ＣＣＡM（ＣＣＡS）の時間平均化を行うので、重み係数ＷＣＡM（ＷＣＡS）の値が安定し、再生音声のふらつきを抑制することができる。
【００９３】
［第２実施形態］
まず、本発明の第２実施形態を、図８〜図１０を主に参照して説明する。
【００９４】
＜構成＞
第２実施形態に係る放送受信装置は、上述した第１実施形態の場合と比べて、和信号ノイズ低減部１３３ＡMに代えて、図８に示される構成の和信号ノイズ低減部１３３ＢMを備える点、及び、差信号ノイズ低減部１３３ＡSに代えて、図９に示される構成の差信号ノイズ低減部１３３ＢSを備える点が異なっている。以下、これらの相違点に主に着目して、第２実施形態について説明する。
【００９５】
なお、以下の説明においては、和信号ノイズ低減部１３３ＢM及び差信号ノイズ低減部１３３ＢSを備える信号処理装置を「信号処理装置１３０Ｂ」と記すとともに、信号処理装置１３０Ｂを備える放送受信装置を「放送受信装置１００Ｂ」と記すものとする。
【００９６】
《和信号ノイズ低減部１３３ＢMの構成》
上記の和信号ノイズ低減部１３３ＢMは、時間周波数変換部１３２Mから送られた時間周波数変換結果ＭＳＤを受ける。そして、和信号ノイズ低減部１３３ＢMは、時間周波数変換結果ＭＳＤに対してノイズ低減処理を施して補正後和信号パワースペクトルＣＭＤを生成する。
【００９７】
この和信号ノイズ低減部１３３ＢMは、図８に示されるように、生成部２１０ＢMを備えている。また、和信号ノイズ低減部１３３ＢMは、重み付け部２２０ＢMを備えている。
【００９８】
上記の生成部２１０ＢMは、時間周波数変換部１３２Mから送られた時間周波数変換結果ＭＳＤ、及び、受信処理ユニット１２０から送られた信号レベルＳＬＶを受ける。そして、生成部２１０ＢMは、時間周波数変換結果ＭＳＤ及び信号レベルＳＬＶに基づいて、時間周波数変換結果ＭＳＤの分割周波数帯ごとの重み係数ＷＣＢMを生成する。
【００９９】
第２実施形態では、生成部２１０ＢMは、基準値比較部２１２ＢMと、平均化部２１３ＢMとを備えている。また、生成部２１０ＢMは、平滑化部２１１ＢMを備えている。
【０１００】
上記の基準値比較部２１２ＢMは、信号レベルＳＬＶ、及び、時間周波数変換結果ＭＳＤを受ける。基準値比較部２１２ＢMは、分割周波数帯ごとに、時間周波数変換結果ＭＳＤのパワー値が、信号レベルＳＬＶの値により定まる基準値を超えたか否かの基準値判定を行う。引き続き、基準値比較部２１２ＢMは、当該判定の結果が肯定的であった分割周波数帯については、値「１」を設定する。一方、基準値比較部２１２ＢMは、当該判定の結果が否定的であった分割周波数帯については、値「０」を設定する。かかる分割周波数帯ごとの設定結果は、基準値比較結果ＣＣＢMとして、平均化部２１３ＢMへ送られる。
【０１０１】
なお、基準値比較部２１２ＢMは、信号レベルＳＬＶの値と、分割周波数帯ごとの基準値との第１関係情報を内部に保持している。かかる第１関係情報は、実験、シミュレーション、経験等に基づいて、予め定められる。ここで、上述した第１実施形態の場合と同様に、信号レベルＳＬＶが大きいほど、基準値が小さくなるようになっている。これは、信号レベルＳＬＶが大きい（すなわち、放送波の受信時の電界強度が大きく、受信品質が高い）ほど、和信号ＭＤのＳＮ比が高いことによる。
【０１０２】
上記の平均化部２１３ＢMは、基準値比較部２１２ＢMから送られた基準値比較結果ＣＣＢMを受ける。そして、平均化部２１３ＢMは、信号レベルＳＬＶの値により定まる基準値判定回数の直近の基準値比較結果ＣＣＢMの平均を算出することにより、分割周波数帯ごとの平均化結果ＡＶＢMを生成する。こうして生成された平均化結果ＡＶＢMは、平滑化部２１１ＢMへ送られる。
【０１０３】
なお、平均化部２１３ＢMは、信号レベルＳＬＶの値と基準値判定回数との第２関係情報を内部に保持している。かかる第２関係情報は、実験、シミュレーション、経験等に基づいて、予め定められる。ここで、上述した第１実施形態の場合と同様に、信号レベルＳＬＶが大きいほど、基準値判定回数は少なくなる。これは、信号レベルＳＬＶが小さいほど、和信号ＭＤのＳＮ比が低いために、重み係数ＷＣＢMの生成に際しての入念を期すためである。
【０１０４】
上記の平滑化部２１１ＢMは、平均化部２１３ＢMから送られた平均化結果ＡＶＢMを受ける。そして、平滑化部２１１ＢMは、平均化結果ＡＶＢMを、周波数軸方向に関する移動平均法を用いて平滑化することにより、分割周波数帯ごとの重み係数ＷＣＢMを生成する。こうして生成された重み係数ＷＣＢMは、重み付け部２２０ＢMへ送られる。
【０１０５】
上記の重み付け部２２０ＢMは、時間周波数変換結果ＭＳＤ、及び、生成部２１０ＢMから送られた重み係数ＷＣＢMを受ける。そして、重み付け部２２０ＢMは、分割周波数帯ごとに、時間周波数変換結果ＭＳＤのパワー値と、重み係数ＷＣＢMとを乗算する。かかる乗算の結果は、補正後和信号パワースペクトルＣＭＤとして、再生音信号算出ユニット１４０へ送られる。
【０１０６】
《差信号ノイズ低減部１３３ＢSの構成》
上記の差信号ノイズ低減部１３３ＢSは、時間周波数変換部１３２Sから送られた時間周波数変換結果ＳＳＤを受ける。そして、差信号ノイズ低減部１３３ＢSは、時間周波数変換結果ＳＳＤに対してノイズ低減処理を施して補正後差信号パワースペクトルＣＳＤを生成する。
【０１０７】
この差信号ノイズ低減部１３３ＢSは、図９に示されるように、生成部２１０ＢSを備えている。また、差信号ノイズ低減部１３３ＢSは、重み付け部２２０ＢSを備えている。
【０１０８】
上記の生成部２１０ＢSは、時間周波数変換部１３２Sから送られた時間周波数変換結果ＳＳＤ、及び、受信処理ユニット１２０から送られた信号レベルＳＬＶを受ける。そして、生成部２１０ＢSは、時間周波数変換結果ＳＳＤ及び信号レベルＳＬＶに基づいて、時間周波数変換結果ＳＳＤの分割周波数帯ごとの重み係数ＷＣＢSを生成する。
【０１０９】
第２実施形態では、生成部２１０ＢSは、上述した和信号ノイズ低減部１３３ＢMと同様に構成されている。すなわち、生成部２１０ＢSは、基準値比較部２１２ＢSと、平均化部２１３ＢSと、平滑化部２１１ＢSとを備えている。
【０１１０】
上記の基準値比較部２１２ＢSは、信号レベルＳＬＶ、及び、時間周波数変換結果ＳＳＤを受ける。そして、基準値比較部２１２ＢSは、信号レベルＳＬＶの値により定まる基準値として、上述した基準値比較部２１２ＢMの場合よりも大きな値を採用すること除いて、基準値比較部２１２ＢMの場合と同様の処理を行って、基準値比較結果ＣＣＢSを生成する。こうして生成された基準値比較結果ＣＣＢSは、平均化部２１３ＢSへ送られる。
【０１１１】
なお、基準値比較部２１２ＢSは、信号レベルＳＬＶの値と、分割周波数帯ごとの基準値との第３関係情報を内部に保持している。かかる第３関係情報は、実験、シミュレーション、経験等に基づいて、予め定められる。
【０１１２】
上記の平均化部２１３ＢSは、基準値比較部２１２ＢSから送られた基準値比較結果ＣＣＢSを受ける。そして、平均化部２１３ＢSは、信号レベルＳＬＶの値により定まる基準値判定回数の直近の基準値比較結果ＣＣＢSの平均を算出することにより、分割周波数帯ごとの平均化結果ＡＶＢSを生成する。こうして生成された平均化結果ＡＶＢSは、平滑化部２１１ＢSへ送られる。
【０１１３】
なお、平均化部２１３ＢSは、信号レベルＳＬＶの値と基準値判定回数との第４関係情報を内部に保持している。かかる第４関係情報は、実験、シミュレーション、経験等に基づいて、予め定められる。上述した第１実施形態の場合と同様に、平均化部２１３ＢSが採用する基準値判定回数は、上述した平均化部２１３ＢMの場合において採用する基準値判定回数以上の回数となっている。これは、差信号ＳＤのＳＮ比が和信号ＭＤのＳＮ比よりも低いため、重み係数ＷＣＢSの生成に際して、重み係数ＷＣＢMの生成の場合よりも入念を期すためである。
【０１１４】
また、上述した第１実施形態の場合と同様に、信号レベルＳＬＶの値が大きなほど、平均化部２１３ＢSが採用する基準値判定回数と、平均化部２１３ＢMが採用する基準値判定回数との差が小さくなるようになっている。これは、信号レベルＳＬＶの値が大きくほど、基準値判定回数に差を設ける必要性が乏しくなっていくことによる。
【０１１５】
上記の平滑化部２１１ＢSは、平均化部２１３ＢSから送られた平均化結果ＡＶＢSを受ける。そして、平滑化部２１１ＢSは、平均化結果ＡＶＢSを、周波数軸方向に関する移動平均法を用いて平滑化することにより、分割周波数帯ごとの重み係数ＷＣＢSを生成する。こうして生成された重み係数ＷＣＢSは、重み付け部２２０ＢSへ送られる。
【０１１６】
上記の重み付け部２２０ＢSは、時間周波数変換結果ＳＳＤ、及び、生成部２１０ＢSから送られた重み係数ＷＣＢSを受ける。そして、重み付け部２２０ＢSは、分割周波数帯ごとに、時間周波数変換結果ＳＳＤのパワー値と、重み係数ＷＣＢSとを乗算する。かかる乗算の結果は、補正後差信号パワースペクトルＣＳＤとして、再生音信号算出ユニット１４０へ送られる。
【０１１７】
＜動作＞
次に、以上のように構成された放送受信装置１００Ｂの動作について、和信号ノイズ低減部１３３ＢM及び差信号ノイズ低減部１３３ＢSによるノイズ低減処理に主に着目して説明する。
【０１１８】
前提として、入力ユニット１８０には既に利用者により選局指定が入力されており、指定された希望局に対応する選局指令ＣＳＬが、受信処理ユニット１２０へ送られているものとする。また、入力ユニット１８０には既に利用者により音量調整指定が入力されており、指定された音量調整態様に対応する音量調整指令ＶＬＣが、アナログ処理ユニット１５０へ送られているものとする（図１参照）。
【０１１９】
また、受信処理ユニット１２０から、和信号ノイズ低減部１３３ＢM及び差信号ノイズ低減部１３３ＢSへは、信号レベルＳＬＶが継続的に送られているものとする。そして、和信号ノイズ低減部１３３ＢMには、時間周波数変換結果ＭＳＤが順次供給されるとともに、差信号ノイズ低減部１３３ＢSには、時間周波数変換結果ＳＳＤが順次供給されているものとする（図２参照）。
【０１２０】
なお、和信号ノイズ低減部１３３ＢMでは、生成部２１０ＢMが備える基準値比較部２１２ＢM及び重み付け部２２０ＢMが、時間周波数変換結果ＭＳＤを受ける（図８参照）。また、差信号ノイズ低減部１３３ＢSでは、生成部２１０ＢSが備える基準値比較部２１２ＢS及び重み付け部２２０ＢSが、時間周波数変換結果ＳＳＤを受ける（図９参照）。
【０１２１】
《和信号ノイズ低減部１３３ＢMによるノイズ低減処理》
時間周波数変換結果ＭＳＤを受けると、基準値比較部２１２ＢMは、まず、その時点における信号レベルＳＬＶの値に基づいて、分割周波数帯ごとの基準値を特定する。引き続き、基準値比較部２１２ＢMは、分割周波数帯ごとに、時間周波数変換結果ＭＳＤのパワー値が、信号レベルＳＬＶの値により定まる基準値を超えたか否かの基準値判定を行う。
【０１２２】
ここで、基準値比較部２１２ＢMは、当該判定の結果が肯定的であった分割周波数帯については、値「１」を設定する。一方、基準値比較部２１２ＢMは、当該判定の結果が否定的であった分割周波数帯については、値「０」を設定する。
【０１２３】
次に、基準値比較部２１２ＢMは、分割周波数帯ごとの設定結果に基づいて、基準値比較結果ＣＣＢMを生成する。そして、基準値比較部２１２ＢMは、生成された基準値比較結果ＣＣＢMを平均化部２１３ＢMへ送る（図８参照）。
【０１２４】
なお、上述したように、信号レベルＳＬＶが大きいほど、基準値が小さくなるようになっている。
【０１２５】
基準値比較結果ＣＣＢMを受けると、平均化部２１３ＢMは、信号レベルＳＬＶの値により定めていた基準値判定回数の直近の基準値比較結果ＣＣＢMの平均を算出することにより、分割周波数帯ごとの平均化結果ＡＶＢMを生成する。そして、平均化部２１３ＢMは、生成された平均化結果ＡＶＢMを平滑化部２１１ＢMへ送る（図８参照）。
【０１２６】
なお、上述したように、信号レベルＳＬＶが大きいほど、基準値判定回数は少なくなるようになっている。
【０１２７】
平均化結果ＡＶＢMを受けると、平滑化部２１１ＢMは、平均化結果ＡＶＢMを、周波数軸方向に関する移動平均法を用いて平滑化して、分割周波数帯ごとの重み係数ＷＣＢMを生成する。そして、平滑化部２１１ＢMは、生成された重み係数ＷＣＢMを重み付け部２２０ＢMへ送る（図８参照）。
【０１２８】
重み係数ＷＣＢMを受けると、重み付け部２２０ＢMは、分割周波数帯ごとに、時間周波数変換結果ＭＳＤのパワー値と、重み係数ＷＣＢMとを乗算する。そして、重み付け部２２０ＢMは、当該乗算の結果を、補正後和信号パワースペクトルＣＭＤとして、再生音信号算出ユニット１４０へ送る（図８参照）。
【０１２９】
《差信号ノイズ低減部１３３ＢSによるノイズ低減処理》
上述した和信号ノイズ低減部１３３ＢMによるノイズ低減処理と並行して、差信号ノイズ低減部１３３ＢSでは、生成部２１０ＢSが、上述した構成説明で記載した相違点を除いて、生成部２１０ＢMの場合と同様の処理を行って、分割周波数帯ごとの重み係数ＷＣＢSを生成する。そして、生成部２１０ＢSは、生成された重み係数ＷＣＢSを重み付け部２２０ＢSへ送る（図９参照）。
【０１３０】
重み係数ＷＣＢSを受けると、重み付け部２２０ＢSは、分割周波数帯ごとに、時間周波数変換結果ＳＳＤのパワー値と、重み係数ＷＣＢSとを乗算する。そして、重み付け部２２０ＢSは、当該乗算の結果を、補正後差信号パワースペクトルＣＳＤとして、再生音信号算出ユニット１４０へ送る（図９参照）。
【０１３１】
なお、図１０には、時間周波数変換結果ＭＳＤ（ＳＳＤ）からの重み付け係数ＷＣＢM（ＷＣＢS）の生成処理の例が示されている。
【０１３２】
こうして生成された補正後和信号パワースペクトルＣＭＤ及び補正後差信号パワースペクトルＣＳＤは、上述した第１実施形態の場合と同様にして、再生音信号算出ユニット１４０及びアナログ処理ユニット１５０により順次信号処理が施されて、出力音信号ＡＯＳL，ＡＯＳRが生成される。引き続き、生成された出力音信号ＡＯＳL，ＡＯＳRが、スピーカユニット１６０L，１６０Rへ送られる（図１参照）。そして、スピーカユニット１６０L，１６０Rが、出力音信号ＡＯＳL，ＡＯＳRに従って、音声を再生出力する。
【０１３３】
以上説明したように、第２実施形態では、生成部２１０ＢM（２１０ＢS）の基準値比較部２１２ＢM（２１２ＢS）が、分割周波数帯ごとに、その時点における信号レベルＳＬＶの値に基づいて定まる基準値と、時間周波数変換結果ＭＳＤ（ＳＳＤ）のパワー値との比較し、比較結果を基準値比較結果ＣＣＢM（ＣＣＢS）として、平均化部２１３ＢM（２１３ＢS）へ送る。引き続き。平均化部２１３ＢM（２１３ＢS）が、信号レベルＳＬＶの値により定めていた基準値判定回数の直近の基準値比較結果ＣＣＢM（ＣＣＢS）の平均を算出することにより、平均化結果ＡＶＢM（ＡＶＢS）を生成し、生成された平均化結果ＡＶＢM（ＡＶＢS）を平滑化部２１１ＢM（２１１ＢS）へ送る。そして、平滑化部２１１ＢM（２１１ＢS）が、平均化結果ＡＶＢM（ＡＶＢS）を、周波数軸方向に関する移動平均法を用いて平滑化することにより、分割周波数帯ごとの重み係数ＷＣＢM（ＷＣＢS）を生成し、生成された重み係数ＷＣＢM（ＷＣＢS）を重み付け部２２０ＢM（２２０ＢS）へ送る。そして、重み付け部２２０ＢM（２２０ＢS）が、分割周波数帯ごとに、時間周波数変換結果ＭＳＤ（ＳＳＤ）に重み係数ＷＣＢM（ＷＣＢS）を乗じることにより、補正後和信号パワースペクトルＣＭＤ（補正後差信号パワースペクトルＣＳＤ）を生成し、生成された補正後和信号パワースペクトルＣＭＤ（補正後差信号パワースペクトルＣＳＤ）を再生音信号算出ユニット１４０へ送る。
【０１３４】
したがって、演算負荷量の大きな増加を招かずに、和信号と差信号との調和を図りつつＳＮ比の改善を行うことができる。
【０１３５】
また、第２実施形態では、上述した第１実施形態の場合と同様に、信号レベルＳＬＶが大きいほど、基準値比較部２１２ＢM（２１２ＢS）が採用する基準値が小さくなるようにしている。このため、時間周波数変換結果ＭＳＤ（ＳＳＤ）のＳＮ比に応じて適切な基準値を採用することができる。
【０１３６】
また、第２実施形態では、上述した第１実施形態の場合と同様に、基準値比較部２１２ＢSが採用する基準値が、基準値比較部２１２ＢMが採用する基準値よりも大きな値を採用する。このため、時間周波数変換結果ＭＳＤと時間周波数変換結果ＳＳＤとのＳＮ比の相違に応じて適切な基準値を採用することができる。
【０１３７】
また、第２実施形態では、上述した第１実施形態の場合と同様に、平均化部２１３ＢSが採用する基準値判定回数を、平均化部２１３ＢMが採用する基準値判定回数以上の回数としている。このため、和信号ＭＤよりもＳＮ比が低い差信号ＳＤに対応する重み係数ＷＣＢSの生成に際して、和信号ＭＤに対応する重み係数ＷＣＢMの生成の場合よりも入念を期すことができる。
【０１３８】
また、第２実施形態では、平均化部２１３ＢM（２１３ＢS）が基準値比較結果ＣＣＢM（ＣＣＢS）の時間平均化を行うので、重み係数ＷＣＢM（ＷＣＢS）の値が安定し、再生音声のふらつきを抑制することができる。
【０１３９】
［実施形態の変形］
本発明は、上記の実施形態に限定されるものではなく、様々な変形が可能である。
【０１４０】
例えば、上記の第１及び第２実施形態では、左チャンネル信号Ｌ及び右チャンネル信号Ｒから時間周波数変換結果ＭＳＤ，ＳＳＤの生成に際して、和信号ＭＤ及び差信号ＳＤを生成した後に、和信号ＭＤ及び差信号ＳＤのそれぞれの時間周波数変換を行って、時間周波数変換結果ＭＳＤ，ＳＳＤを生成するようにした。これに対し、左チャンネル信号Ｌ及び右チャンネル信号Ｒのそれぞれの時間周波数変換を行ったのち、当該２つの時間周波数変換の和及び差を算出することにより、時間周波数変換結果ＭＳＤ，ＳＳＤを生成するようにしてもよい。
【０１４１】
また、上記の第１及び第２実施形態では、補正後和信号パワースペクトルＣＭＤ及び補正後差信号パワースペクトルＣＳＤから再生用左チャンネル信号ＣＬＤ及び再生右チャンネル信号ＣＲＤの生成に際して、補正後和信号パワースペクトルＣＭＤ及び補正後差信号パワースペクトルＣＳＤのそれぞれの周波数時間変換を行った後、当該２つの周波数時間変換の結果の和及び差を算出し、再生用左チャンネル信号ＣＬＤ及び再生右チャンネル信号ＣＲＤを生成するようにした。これに対し、補正後和信号パワースペクトルＣＭＤと補正後差信号パワースペクトルＣＳＤとの和及び差を算出し、当該２つの算出の結果のそれぞれに周波数時間変換を施して、再生用左チャンネル信号ＣＬＤ及び再生右チャンネル信号ＣＲＤを生成するようにしてもよい。
【０１４２】
また、上記の第１実施形態では、重み付け係数を、基準値比較結果の平均化を行って生成するようにした。これに対し、基準値比較結果そのものを重み付け係数としてもよい。
【０１４３】
また、上記の第２実施形態では、重み付け係数を、基準値比較結果の平均化後に平滑化を行って生成するようにした。これに対し、当該平均化及び当該平滑化の少なくとも一方を省略して重み付け係数を生成するようにしてもよい。
【０１４４】
また、上記の第１及び第２実施形態では、平滑化に際して移動平均法を採用したが、移動平均法以外の平滑化の手法を採用してもよい。例えば、第１実施形態の場合の時間周波数変換結果の平滑化に際して、互いに隣り合う分割周波数帯のパワー値のうちの大きな方のパワー値を、パワー値のうちの小さな方の分割周波数帯のパワー値とする手法を用いて、時間周波数変換結果の平滑化を行うようにすることができる。
【０１４５】
また、上記の第１及び第２実施形態では、受信放送波の電界強度に基づいて受信品質を評価するようにしたが、他の検出可能量を受信放送波の電界強度に代えて、又は、加えて採用し、受信品質を評価するようにしてもよい。
【０１４６】
また、上記の第１及び第２実施形態では、ＦＭステレオ放送信号に本発明を適用するようにしたが、ＦＭモノラル放送信号等のＦＭステレオ放送信号以外の信号に本発明を適用するようにしてもよい。
【０１４７】
なお、上記の第１及び第２実施形態における信号処理装置を、ＣＰＵ（Central Processing Unit）及びＤＳＰ（Digital Signal Processor）等を備えた演算手段としてのコンピュータとして構成し、予め用意されたプログラムを当該コンピュータで実行することにより、上記の実施形態における処理の一部又は全部を実行するようにしてもよい。このプログラムはハードディスク、ＣＤ−ＲＯＭ、ＤＶＤ等のコンピュータで読み取り可能な記録媒体に記録され、当該コンピュータによって記録媒体から読み出されて実行される。また、このプログラムは、ＣＤ−ＲＯＭ、ＤＶＤ等の可搬型記録媒体に記録された形態で取得されるようにしてもよいし、インターネットなどのネットワークを介した配信の形態で取得されるようにしてもよい。
【符号の説明】
【０１４８】
１００Ａ，１００Ｂ    …  放送受信装置
１３０Ａ，１３０Ｂ    …  信号処理装置
１４０                …  再生音信号算出ユニット（算出部）
２１０ＡM，２１０ＢM  …  生成部（第１生成部）
２１０ＡS，２１０ＢS  …  生成部（第２生成部）
２２０ＡM，２２０ＢM  …  重み付け部（第１重み付け部）
２２０ＡS，２２０ＢS  …  重み付け部（第２重み付け部）
２１１ＡM，２１１ＢM  …  平滑化部（第１平滑化部）
２１１ＡS，２１１ＢS  …  平滑化部（第２平滑化部）
２１２ＡM，２１２ＢM  …  基準値比較部（第１基準値比較部）
２１２ＡS，２１２ＢS  …  基準値比較部（第２基準値比較部）
２１３ＡM，２１３ＢM  …  平均化部（第１平均化部）
２１３ＡS，２１３ＢS  …  平均化部（第２平均化部）
【図１】
2019186592.tif 000003
【図２】
2019186592.tif 000004
【図３】
2019186592.tif 000005
【図４】
2019186592.tif 000006
【図５】
2019186592.tif 000007
【図６】
2019186592.tif 000008
【図７】
2019186592.tif 000009
【図８】
2019186592.tif 000010
【図９】
2019186592.tif 000011
【図１０】
2019186592.tif 000012